(57)【特許請求の範囲】
【請求項１】
ベース本体と、
前記ベース本体に設けられたスライドアセンブリと、
前記スライドアセンブリに摺動可能に設けられた昇降支持ベースと、
該昇降支持ベースに連動されるギアセットであって、第１のギア、第２のギア、第３のギア及び第４のギアを含み、該第１のギアは前記昇降支持ベースに接続されると共に回転盤上に設けられて該回転盤と同軸回転し、前記第２のギアは該第１のギアに噛合され、該第１のギアは該第２のギアより小さく、該第３のギアは該第２のギア上に同軸回転するように設けられ、該第３のギアは該第２のギアよりも小さく、該第４のギアは該第３のギアに噛み合い、且つ該第４のギアは該第３のギアより大きく、該第４のギア上に偏心して枢軸が設けられた、上記ギアセットと、
前記回転盤と前記昇降支持ベースとの間に設けられた連動部材と、
前記ベース本体上に設けられ、第１の端と前記第１の端の反対端に位置した第２の端とを有し、前記第１の端は前記ベース本体に調整可能に固定され、前記第２の端は前記枢軸に接続されたスプリング部材と、
を備え、該スプリング部材が引き伸ばされる時、該第４のギアが回転して該枢軸を該第３のギアに接近させることを特徴とする昇降装置。
【請求項２】
前記スライドアセンブリが２つのスライドレールを含み、前記昇降支持ベースが前記２つのスライドレールの間に摺動可能に設けられ、若しくは前記スライドアセンブリがグルーブとバンプとの組み合わせであり、前記昇降支持ベースが前記グルーブの上下に沿って摺動可能であることを特徴とする請求項１に記載の昇降装置。
【請求項３】
前記ベース本体には収容空間を有し、前記スライドアセンブリ、前記ギアセット及び前記スプリング部材が前記収容空間に設けられ、前記昇降支持ベースはその一部が前記収容空間から突出することを特徴とする請求項１に記載の昇降装置。
【請求項４】
前記ベース本体上に設けられたトルク調整部材をさらに備え、前記スプリング部材のトルク出力を調整するために、前記第１の端が前記トルク調整部材に接続されることを特徴とする請求項１に記載の昇降装置。
【発明の詳細な説明】
【技術分野】
【０００１】
本発明は、昇降装置に関し、特にスプリング部材の伸長量を減少させることができる昇降装置に関するものである。
【背景技術】
【０００２】
通常、表示装置は、支持フレーム構造によりテーブル面上に安定して直立することができる。従来の支持フレームが固定式の態様であるため、ユーザは、表示装置の高さを調整することができない。現在、ユーザが自分の必要な視認高さに応じて表示装置の高さを適当に調整することが可能な支持フレームが市販されてきた。
【０００３】
例えば、従来の表示装置の昇降ベースは、昇降ブロックとコイルスプリングとの組み合わせによるものであって、昇降ブロックを昇降ベース内に上下摺動可能に設け、コイルスプリングを昇降ベース上に固定し、一端を軸ロッドに巻回させ、他端を昇降ベース上に固定させることにより、表示装置が昇降ベースに固定されることが可能となる。使用の際、ユーザは、昇降ブロックに力を付与して押し下げ、昇降ブロックがコイルスプリングの付勢を受け、ユーザが昇降ブロックを上下摺動させることが可能になる。一旦ユーザが力を付与しなくなると、昇降ブロックは当該高さに自動的に停止してしまい、このように表示装置を適当な位置に調整する。例えば、高さを上昇させようとする場合には、昇降ブロックに力を付与して引き上げ、コイルスプリングの弾性回復力により昇降ブロックを上へ摺動させることで、表示装置を所定の高さまで上昇させ、表示装置の高さを任意に調整することができるようになる。
【発明の概要】
【発明が解決しようとする課題】
【０００４】
しかしながら、表示装置の寸法の大型化に伴い、重量は相対的に増加しており、上述した昇降ベース構造のコイルスプリングの支持力が明らかに大型のディスプレイ装置を支持するに足らない。また、コイルスプリングがディスプレイ装置の重力によって引っ張られたストロークが長すぎるため、長く使用すると、コイルスプリングが弾性疲労により働かなくなることがあり、昇降ベース全体が正常に機能しなくなってしまう。
【０００５】
本願の発明者は、上述した従来の技術が実際に使用された場合の欠点に鑑み、産業開発に係る実務に関与した長年の経験を積み上げ、鋭意研究を重ねた結果、設計が合理で且つ上述した問題を効果的に改善した構造を提出するに至った。
【０００６】
そこで、本発明は、主に、ピニオンによって大ギアを駆動させる手段によりスプリングの引っ張りによるストローク長さを減少させることで、スプリングの保護効果を達成することができる昇降装置を提供することを課題とする。
【課題を解決するための手段】
【０００７】
上記の課題を解決するために、本発明に係る昇降装置は、収容空間を有するベース本体と、前記収容空間に設けられたスライドアセンブリと、前記スライドアセンブリに設けられた昇降支持ベースと、前記昇降支持ベースに連動されるギアセットと、スプリング部材とを備える。前記ギアセットは、第１のギアと第２のギアからなり、前記第１のギアは第２のギアよりも小さく、ピニオン及び大ギアの組み合わせになる。前記スプリング部材は、収容空間に設けられ、第１の端と第１の端と反対端に位置した第２の端を有し、第１の端がベース本体に固定され、第２の端が前記第２のギアに連動された。
【０００８】
上述した構造においては、昇降支持ベースのシフト量が比較的小さい第１のギアから比較的大きい第２のギアに伝達されるため、第２のギアの回動回数が少なくなり、よって、第２のギアに連動されたスプリング部材の伸長量が昇降支持ベースのシフト量よりも十分小さくなり、スプリング部材の弾性疲労による昇降装置の失効を回避することができる。
【０００９】
具体的な実施例として、さらに、ギアの付加セットとして第３のギアと第４のギアからなるピニオン及び大ギアの組み合わせ（第１のギアと第２のギアとの組み合わせに加えて、第３のギアと第４のギアとの組み合わせを備える）により、スプリングの伸長量を減少させることができる。このように、本発明に係るスプリング部材の引っ張り長さが大幅に減少してしまうため、スプリング部材の寿命を高めることができる。
【００１０】
本発明は、ギア比の組み合わせを利用しているため、昇降支持ベースのシフト量による引っ張りストローク長さを大幅に減少させることができ、スプリング部材の使用寿命及び昇降装置の信頼性を高めることができるようになる。
【００１１】
本発明の特徴及び技術内容がより明瞭になるように、本発明に係る下記の詳細な説明及び図面を参照して説明するが、これらの図面は参考及び説明のためのものであり、本発明を限定するためのものではない。
【図面の簡単な説明】
【００１２】
【図１Ａ】本発明に係る昇降装置の昇降支持ベースが第１の位置に位置した立体模式図である。
【図１Ｂ】本発明に係る昇降装置の昇降支持ベースが第１の位置に位置した前面図である。
【図２Ａ】本発明に係る昇降装置の昇降支持ベースが第２の位置に位置した立体模式図である。
【図２Ｂ】本発明に係る昇降装置の昇降支持ベースが第２の位置に位置した前面図である。
【図３】本発明に係る昇降装置の昇降支持ベースがベース本体に対して摺動する模式図である。
【発明を実施するための形態】
【００１３】
本発明に係る昇降装置は、ディスプレイ装置の高さを調整するための装置に適用することができる。ギアセットをスプリングと組み合わせることにより、その位置の昇降調整を行うとともに、ギアセットにおけるピニオン（本発明の下記第１のギア１３１と第３のギア１３３に該当する）によって大ギア（本発明の下記第２のギア１３２と第４のギア１３４に該当する）を駆動させる手段によりスプリングの引っ張りによるストローク長さを減少させることで、スプリングの保護効果を達成することができ、スプリング部材の損傷による昇降装置の失効を回避することができる。
【００１４】
図１Ａないし図２Ｂを参照しながら、本発明に係る昇降装置の実施例を説明する。本発明にかかる昇降装置は、ベース本体１０と、ベース本体１０に設けられたスライドアセンブリ１１と、スライドアセンブリ１１に摺動可能に設けられた昇降支持ベース１２と、昇降支持ベース１２に連動されたギアセット１３と、ベース本体１０上に設けられたスプリング部材１４と、を備える。ここで、ベース本体１０には、例えば、前記部材を収容するための収容空間１０１が形成されており、スライドアセンブリ１１は、ベース本体１０の内壁面に固定されて収容空間１０１の中に収容され、ギアセット１３及びスプリング部材１４は、同様に収容空間１０１の中に収容されている。さらに、昇降支持ベース１２は、例えば、スライドアセンブリ１１上に摺動可能に設けられ、少なくとも２つのスライドレール１１１を含む。この昇降支持ベース１２は、前記少なくとも２つのスライドレール１１１の間に摺動可能に設けられているため、上下に摺動する機能を達成することができる。また、昇降支持ベース１２はディスプレイ装置又はその他の装置に取り付けるようにその一部が収容空間１０１から突出している。また、一つの変形例として、スライドアセンブリ１１は、グルーブとバンプとの組み合わせであり、例えば、昇降支持ベース１２の両側にはバンプが設けられて、ベース本体１０の両内側壁面にはそれに対応するグルーブが設けられる。従って、上述したグルーブとバンプとの組み合わせにより、昇降支持ベース１２がグルーブの上下に沿って摺動することが可能となる。
【００１５】
また、ギアセット１３及びスプリング部材１４は、昇降支持ベース１２に付勢するための付勢モジュールとして組み合わせられている。ギアセット１３は、昇降支持ベース１２に連動され、少なくとも第１のギア１３１と前記第１のギア１３１に噛合された第２のギア１３２とを含み、第１のギア１３１は第２のギア１３２よりも小さく、ギアセット１３のピニオンとして役立つ。昇降支持ベース１２は第１のギア１３１に接続されている。スプリング部材１４の第１の端１４１が、ベース本体１０に調整可能に固定され、スプリング部材１４の第２の端１４２が、第２のギア１３２に連動されているため、昇降支持ベース１２が力を受けて下へ摺動する場合には、それに伴ってギアセット１３の第１のギア１３１、第２のギア１３２及びスプリング部材１４が一緒に連動効果を生じ、且つ第１のギア１３１及び第２のギア１３２のギア比により、昇降支持ベース１２がまず比較的小さい第１のギア１３１を駆動させ、そして第２のギア１３２を駆動させることで、第２のギア１３２が回動するストロークが極めて短くなり、スプリング部材１４の第２の端１４２が力を受けて伸長された長さも短くなり、スプリング部材１４にとっては、十分な距離を伸長させることはなく、スプリング部材１４の使用寿命を大幅に高めることが可能となる。
【００１６】
この具体的な実施例において、第１のギア１３１が回転盤１３０に設けられ、回転盤１３０と同軸に回転し、昇降支持ベース１２が連動部材１５、例えば縄体により回転盤１３０に接続されているため、昇降支持ベース１２が力を受けて下へ摺動する場合、連動部材１５が力を受けて伸長され、連動部材１５による引張りにより回転盤１３０を駆動させることによって、第１のギア１３１及びスプリング部材１４がともに連動する効果が生じるようになる。また、上述のように、第１のギア１３１及び第２のギア１３２のギア比により、スプリング部材１４が力を受けて伸長された長さが極めて短くなり、スプリング部材１４を保護することが可能となる。
【００１７】
スプリング部材１４が力を受けて伸長されたストロークをさらに縮小させようとする場合、前記ギアセット１３には、さらに第３のギア１３３と、前記第３のギア１３３に噛合された第４のギア１３４とからなる付加セットを備えることが好ましい。前記第３のギア１３３は、第２のギア１３２に設けられ、第２のギア１３２と同軸に回転し、付加セットのピニオンとして役立つ。第４のギア１３４の上には枢軸１３５が設けられ、スプリング部材１４の第２の端１４２が前記枢軸１３５に接続されている。また、第３のギア１３３は第２のギア１３２よりも小さく、第４のギア１３４が第３のギア１３３よりも大きい。従って、力の伝達については、まず、第１のギア１３１と第２のギア１３２との噛合、即ちピニオンが大ギアに噛合された伝達を経由し、さらに付加セットの第３のギア１３３と第４のギア１３４との噛合、即ちピニオンが大ギアに噛合された伝達を経由しているため、第２の端１４２が第４のギア１３４の枢軸１３５に接続されたスプリング部材１４の伸長ストロークをさらに縮小させることが可能となる。
【００１８】
ここで、具体的な実施例として、本発明に係る昇降装置は、ディスプレイ装置（図示せず）と組み付けることができる。ディスプレイ装置は、適当な視認高さに調整できるように、昇降支持ベース１２にロック固定され、さらにスライドアセンブリ１１によりベース本体１０に対して上下に摺動することが可能とする（図３参照）。具体的には、摺動可能な昇降支持ベース１２を縄体（即ち連動部材１５）により回転盤１３０に接続し、且つ前記縄体を固定ローラーに巻き付けることができるため、ディスプレイ装置を適当な高さに調整しようとする場合には、ディスプレイ装置及び昇降支持ベース１２に付勢して押し下げさせることができる。この場合、昇降支持ベース１２のシフト量は、順次に、縄体（即ち連動部材１５）が回転盤１３０と第１のギア１３１との組み合わせを駆動させ、さらに第１のギア１３１の回動によって第２のギア１３２と第３のギア１３３との組み合わせを駆動させ、最後に第３のギア１３３が第４のギア１３４を駆動させることにより、ストロークをスプリング部材１４に伝達させる。また、上述したピニオンによって大ギアを駆動させるギア比効果によって、スプリング部材１４の伸長量は、昇降支持ベース１２のシフト量よりも十分小さくなる。ディスプレイ装置が適当な位置に下降した場合には、ユーザによる付勢を停止させることで、昇降支持ベース１２がスプリング部材１４の回復力及びディスプレーの重力等による力のバランス作用を受けることで、ディスプレイ装置がこの所定の高さに停止してしまい、任意に移動することはなくなる。従って、昇降支持ベース１２をスライドアセンブリ１１に形成された上、下スライドストロークの任意位置に位置決めることが可能となり、且つスプリング部材１４が力を受けて伸長された長さが極めて短いため、スプリング部材１４の保護効果を達成することができる。
【００１９】
ディスプレイ装置の高さを上へ調整しようとする場合には、ユーザは、ディスプレイ装置及び昇降支持ベース１２にやや力を付与するとともに上へ摺動させることで、スプリング部材１４の弾性回復力により、ディスプレイ装置及び昇降支持ベース１２を上へ駆動させ、ディスプレイ装置を所定の高さまで上昇させ、ディスプレイ装置の視認高さを任意に調整することができる。
【００２０】
さらに、この具体的な実施例において、昇降支持ベース１２が摺動する摩擦力を増加させるために、昇降支持ベース１２には、ベース本体１０の内壁面に接触する摩擦部材１６が設けられている。昇降支持ベース１２が摺動した過程において、摩擦部材１６が上述した内壁面に摩擦することにより、摩擦力が高くなる。
【００２１】
一方、本発明に係る昇降装置は、寸法、重量が異なるディスプレイ装置に対する対応トルクの供給に有利になるように、スプリング部材１４のトルクを調整するためのトルク調整部材１７をさらに備えることが好ましい。具体的には、前記トルク調整部材１７はベース本体１０に設けられたボルトであり、スプリング部材１４の第１の端１４１が前記ボルトの末端に固定されているため、ボルトの高さを調整することでスプリング部材１４の第１の端１４１の位置を変更させることができる。従って、スプリング部材１４のトルク出力を調整することができ、本発明に係る昇降装置を寸法、重量の異なるディスプレイ装置に適用することができる。
【００２２】
上述のように、本発明に係る昇降装置によれば、ピニオンと大ギアとの組み合わせ効果により、大ギアの回動回数をピニオンの回動回数よりも十分少なくさせるため、一端が大ギアに連動されたスプリングの引っ張り長さは、昇降支持ベース１２のシフト量よりも十分小さくなる。従って、本発明に係る昇降装置によれば、スプリング部材１４の保護効果を達成することができる。
【００２３】
上述したものは、本発明の好ましい実施例に過ぎず、本発明の実施の範囲を限定するためのものではなく、本発明の明細書及び図面内容に基づいてなされた均等な変更および付加は、いずれも本発明の特許請求の範囲内に含まれるものとする。
【符号の説明】
【００２４】
１０  ベース本体
１１  スライドアセンブリ
１２  昇降支持ベース
１３  ギアセット
１４  スプリング部材
１５  連動部材
１６  摩擦部材
１７  トルク調整部材
１０１  収容空間
１１１  スライドレール
１３０  回転盤
１３１  第１のギア
１３２  第２のギア
１３３  第３のギア
１３４  第４のギア
１３５  枢軸
１４１  第１の端
１４２  第２の端
【図１Ａ】
0005506637.tif 000002
【図１Ｂ】
0005506637.tif 000003
【図２Ａ】
0005506637.tif 000004
【図２Ｂ】
0005506637.tif 000005
【図３】
0005506637.tif 000006